(57)【要約】【課題】透明の線量検出器をコリメータの前面に取り付けると、その光の吸収により照射野の照度が低下し、照射野の位置および寸法の調整が行いにくくなる。ランプに印加する電圧をより高くして照射野の照度をあげるとランプの寿命が極端に短くなる。【解決手段】ランプに印加する電圧を切り替えるための照度切替リレー９を設けて、標準照度選択ボタン１あるいは高照度選択ボタン２のいずれが押されるかによりランプ照度を切り替えるとともに、それぞれのボタンに対応して設けられたタイマに設定された時間により照射時間を制限する。【選択図】          図１
2006311929.tif 000002
【特許請求の範囲】
【請求項１】
Ｘ線量計測器の検出部を前面に取り付け、光照射手段を有し、Ｘ線照射野の広さおよび位置を前記光照射手段により形成される光照射野を用いて決定するＸ線コリメータを前面に取り付けたＸ線管装置と、高電圧発生器と、Ｘ線管保持器と、検診台により構成されるＸ線撮影装置において、前記光照射野の照度を二段階に切り替える照度切り替え手段を前記Ｘ線コリメータに設けたことを特徴とするＸ線撮影装置。
【請求項２】
Ｘ線量計測器の検出部を前面に取り付け、光照射手段を有し、Ｘ線照射野の広さおよび位置を前記光照射手段により形成される光照射野を用いて決定するＸ線コリメータを前面に取り付けたＸ線管装置と、高電圧発生器と、Ｘ線管保持器と、検診台により構成されるＸ線撮影装置において、前記光照射野の照度を二段階に切り替える照度切り替え手段と、前記照度切り替え手段により切り替えられる照度のうちの各一方を選択して光照射の開始または終了を指示する第一または第二の照度選択光照射指示手段を前記Ｘ線コリメータに設けたことを特徴とするＸ線撮影装置。
【請求項３】
Ｘ線量計測器の検出部を着脱可能に前面に取り付け、光照射手段を有し、Ｘ線照射野の広さおよび位置を前記光照射手段により形成される光照射野を用いて決定するＸ線コリメータを前面に取り付けたＸ線管装置と、高電圧発生器と、Ｘ線管保持器と、検診台により構成されるＸ線撮影装置において、前記光照射野の照度を二段階に切り替える照度切り替え手段と、前記検出部を前記Ｘ線コリメータの前面に取り付けたことを確認する検出部確認手段と、前記検出部確認手段による前記検出部の確認の有無によって前記照度切り替え手段により切り替えられる二段階の照度のいずれかを選択する照度選択手段と、光照射の開始または終了を指示する光照射指示手段を前記Ｘ線コリメータに設けたことを特徴とするＸ線撮影装置。
【請求項４】
Ｘ線量計測器の検出部を着脱可能に前面に取り付け、光照射手段を有し、Ｘ線照射野の広さおよび位置を前記光照射手段により形成される光照射野を用いて決定するＸ線コリメータを前面に取り付けたＸ線管装置と、高電圧発生器と、Ｘ線管保持器と、検診台により構成されるＸ線撮影装置において、前記光照射野の照度を二段階に切り替える照度切り替え手段と、前記検出部を前記Ｘ線コリメータの前面に取り付けたことを確認する検出部確認手段と、前記照度切り替え手段により切り替えられる照度のうちの各一方を選択して光照射の開始または終了を指示する第一または第二の照度選択光照射指示手段と、前記検出部確認手段が前記検出部を確認しないとき前記第一または第二の照度選択光照射指示手段のいずれか一方による照度選択および光照射指示を禁止する禁止手段を前記Ｘ線コリメータに設けたことを特徴とするＸ線撮影装置。
【請求項５】
第一または第二の照度選択光照射指示手段が互いに独立した二個の押しボタンの各一方であることを特徴とする請求項２あるいは請求項４記載のＸ線撮影装置。
【請求項６】
第一または第二の照度選択光照射指示手段が一個の押しボタンを予め決められた時間内に一回または二回押すことであることを特徴とする請求項２あるいは請求項４記載のＸ線撮影装置。
【請求項７】
照度切り替え手段により切り替えられる二段階の照度のうち少なくとも一方について照射時間を規定する照射時間規定手段を設けたことを特徴とする請求項１から請求項６記載のＸ線撮影装置。
【請求項８】
Ｘ線量計測器の検出部を前面に取り付け、光照射手段を有し、Ｘ線照射野の広さおよび位置を前記光照射手段により形成される光照射野を用いて決定するＸ線コリメータにおいて、前記光照射野の照度を二段階に切り替える照度切り替え手段を設けたことを特徴とするＸ線コリメータ。
【請求項９】
Ｘ線量計測器の検出部を前面に取り付け、光照射手段を有し、Ｘ線照射野の広さおよび位置を前記光照射手段により形成される光照射野を用いて決定するＸ線コリメータにおいて、前記光照射野の照度を二段階に切り替える照度切り替え手段と、前記照度切り替え手段により切り替えられる照度のうちの各一方を選択して光照射の開始または終了を指示する第一または第二の照度選択光照射指示手段を設けたことを特徴とするＸ線コリメータ。
【請求項１０】
Ｘ線量計測器の検出部を着脱可能に前面に取り付け、光照射手段を有し、Ｘ線照射野の広さおよび位置を前記光照射手段により形成される光照射野を用いて決定するＸ線コリメータにおいて、前記光照射野の照度を二段階に切り替える照度切り替え手段と、前記検出部を前記Ｘ線コリメータの前面に取り付けたことを確認する検出部確認手段と、前記検出部確認手段による前記検出部の確認の有無によって前記照度切り替え手段により切り替えられる二段階の照度のいずれかを選択する照度選択手段と、光照射の開始または終了を指示する光照射指示手段を設けたことを特徴とするＸ線コリメータ。
【請求項１１】
Ｘ線量計測器の検出部を着脱可能に前面に取り付け、光照射手段を有し、Ｘ線照射野の広さおよび位置を前記光照射手段により形成される光照射野を用いて決定するＸ線コリメータにおいて、前記光照射野の照度を二段階に切り替える照度切り替え手段と、前記検出部を前記Ｘ線コリメータの前面に取り付けたことを確認する検出部確認手段と、前記照度切り替え手段により切り替えられる照度のうちの各一方を選択して光照射の開始または終了を指示する第一または第二の照度選択光照射指示手段と、前記検出部確認手段が前記検出部を確認しないとき前記第一または第二の照度選択光照射指示手段のいずれか一方による照度選択および光照射指示を禁止する禁止手段を設けたことを特徴とするＸ線コリメータ。
【請求項１２】
第一または第二の照度選択光照射指示手段が互いに独立した二個の押しボタンの各一方であることを特徴とする請求項９あるいは請求項１１記載のＸ線コリメータ。
【請求項１３】
第一または第二の照度選択光照射指示手段が一個の押しボタンを予め決められた時間内に一回または二回押すことであることを特徴とする請求項９あるいは請求項１１記載のＸ線コリメータ。
【請求項１４】
照度切り替え手段により切り替えられる二段階の照度のうち少なくとも一方について照射時間を規定する照射時間規定手段を設けたことを特徴とする請求項８から請求項１３記載のＸ線コリメータ。
【発明の詳細な説明】
【技術分野】
【０００１】
本発明はＸ線を用いて診断のために被検体の撮影を行うＸ線撮影装置に関する。
【背景技術】
【０００２】
一般にＸ線撮影装置においては、図７に示すように天井から懸垂されたＸ線管保持装置２６に保持されたＸ線管装置２７から発生するＸ線のうち撮影に不要な部分を遮蔽して被検者の被曝を低減させるために、Ｘ線管装置２７の前面にコリメータ２８が取り付けられる。コリメータ２８により形成される通常矩形のＸ線の照射野３０は例えば図７に示すようにコリメータ２８のパネル面に設けられた縦寸法調整つまみ３２および横寸法調整つまみ３３によりその２辺の長さを調整することができる。しかしながらこの調整をＸ線撮影前に検診台３１の上の被検者（図示しない）にＸ線を照射しながら行うことは被検者の被爆の増加につながる。このような被爆を防止するため通常コリメータ２８は光源となる照射野ランプ３（図８）を内蔵し、Ｘ線の代わりに光を照射する機能を有しており、Ｘ線の照射野３０と一致するように調整された光の照射野３０によって撮影前に照射野３０の位置および寸法の調整を行うことができる（例えば特許文献１参照）。また光の照射開始あるいは終了は光照射ボタン１５によって行われ、例えば光照射ボタン１５を押す毎に開始と終了を繰り返す。
【０００３】
光照射の開始と終了を制御する回路の一例を図８に示す。フリップフロップ５９はそのｃ端子の電位がプラス５Ｖ（以下Ｈレベルと呼ぶ）から０Ｖ（以下Ｌレベルと呼ぶ）に変化する毎にそれまでの出力Ｑの状態を反転させて記憶する機能を持つデジタルＩＣである。光照射ボタン１５を押すとプルアップ抵抗６１によってＨレベルに吊り上げられたフリップフロップ５９のｃ端子がＬレベルになることにより、例えばそれまでＬレベルであった出力ＱがＨレベルに変わる。この結果リレードライバ６０が動作し、照射ＯＮ／ＯＦＦリレー８のコイル８ａが駆動され、接点８ｂがトランス１０の出力を照射野ランプ３に供給するように動作して照射野ランプ３が点灯する。なおトランス１０は電源電圧のＡＣ１００Ｖを照射野ランプ３を適正な寿命で点灯させる電圧である例えばＡＣ２０Ｖに変換するものであり、光照射ボタン１５は説明の簡略化のためチャタリングを発生しない理想的なスイッチとしている。
【０００４】
また図７に示すように、撮影時のＸ線照射量を測定するためにコリメータ２８の前面に線量検出器２９を取り付けることがある。線量検出器２９は軽量透明の平板状イオンチェンバでケーブル（図示しない）によって線量計測定器（図示しない）と接続されて線量計を構成している。線量検出器２９は透明なのでコリメータ２８に内蔵されたランプの光を透過するため線量検出器２９を取り付けた状態でも光の照射野３０によって撮影前に照射野３０の位置および寸法の調整を行うことができる。なおコリメータ２８には線量検出器２９を常時取り付けるタイプのものと必要に応じて着脱可能なものとがある。
【特許文献１】特開２００５−００６９７１号公報
【発明の開示】
【発明が解決しようとする課題】
【０００５】
上述のように線量検出器は透明の平板状イオンチェンバなので、コリメータの前面に取り付けた状態でも光の照射野によって撮影前に照射野の位置および寸法の調整を行うことができるが、線量検出器による光の吸収によりこれを取り付けないときに比べると照射野の照度が低下し、照射野の位置および寸法の調整が行いにくくなる。この問題を解決するためにはランプに印加する電圧をより高くして照射野の照度をあげればよいが、この場合ランプの寿命が極端に短くなるという不都合がある。本発明はこれらの事情に鑑み、線量検出器をコリメータの前面に取り付けた状態でも十分な照度の照射野を得ることができ、かつランプの寿命の短縮を防止することを目的とする。
【課題を解決するための手段】
【０００６】
請求項１記載の発明は上記の目的を達成するために、Ｘ線量計測器の検出部を前面に取り付け、光照射手段を有し、Ｘ線照射野の広さおよび位置を前記光照射手段により形成される光照射野を用いて決定するＸ線コリメータを前面に取り付けたＸ線管装置と、高電圧発生器と、Ｘ線管保持器と、検診台により構成されるＸ線撮影装置において、前記光照射野の照度を二段階に切り替える照度切り替え手段を前記Ｘ線コリメータに設けたＸ線撮影装置を提供する。
【０００７】
請求項２記載の発明は上記の目的を達成するために、Ｘ線量計測器の検出部を前面に取り付け、光照射手段を有し、Ｘ線照射野の広さおよび位置を前記光照射手段により形成される光照射野を用いて決定するＸ線コリメータを前面に取り付けたＸ線管装置と、高電圧発生器と、Ｘ線管保持器と、検診台により構成されるＸ線撮影装置において、前記光照射野の照度を二段階に切り替える照度切り替え手段と、前記照度切り替え手段により切り替えられる照度のうちの各一方を選択して光照射の開始または終了を指示する第一または第二の照度選択光照射指示手段を前記Ｘ線コリメータに設けたＸ線撮影装置を提供する。
【０００８】
請求項３記載の発明は上記の目的を達成するために、Ｘ線量計測器の検出部を着脱可能に前面に取り付け、光照射手段を有し、Ｘ線照射野の広さおよび位置を前記光照射手段により形成される光照射野を用いて決定するＸ線コリメータを前面に取り付けたＸ線管装置と、高電圧発生器と、Ｘ線管保持器と、検診台により構成されるＸ線撮影装置において、前記光照射野の照度を二段階に切り替える照度切り替え手段と、前記検出部を前記Ｘ線コリメータの前面に取り付けたことを確認する検出部確認手段と、前記検出部確認手段による前記検出部の確認の有無によって前記照度切り替え手段により切り替えられる二段階の照度のいずれかを選択する照度選択手段と、光照射の開始または終了を指示する光照射指示手段を前記Ｘ線コリメータに設けたＸ線撮影装置を提供する。
【０００９】
請求項４記載の発明は上記の目的を達成するために、Ｘ線量計測器の検出部を着脱可能に前面に取り付け、光照射手段を有し、Ｘ線照射野の広さおよび位置を前記光照射手段により形成される光照射野を用いて決定するＸ線コリメータを前面に取り付けたＸ線管装置と、高電圧発生器と、Ｘ線管保持器と、検診台により構成されるＸ線撮影装置において、前記光照射野の照度を二段階に切り替える照度切り替え手段と、前記検出部を前記Ｘ線コリメータの前面に取り付けたことを確認する検出部確認手段と、前記照度切り替え手段により切り替えられる照度のうちの各一方を選択して光照射の開始または終了を指示する第一または第二の照度選択光照射指示手段と、前記検出部確認手段が前記検出部を確認しないとき前記第一または第二の照度選択光照射指示手段のいずれか一方による照度選択および光照射指示を禁止する禁止手段を前記Ｘ線コリメータに設けたＸ線撮影装置を提供する。
【００１０】
請求項５記載の発明は上記の目的を達成するために、第一または第二の照度選択光照射指示手段が互いに独立した二個の押しボタンの各一方である請求項２あるいは請求項４記載のＸ線撮影装置を提供する。
【００１１】
請求項６記載の発明は上記の目的を達成するために、第一または第二の照度選択光照射指示手段が一個の押しボタンを予め決められた時間内に一回または二回押すことである請求項２あるいは請求項４記載のＸ線撮影装置を提供する。
【００１２】
請求項７記載の発明は上記の目的を達成するために、照度切り替え手段により切り替えられる二段階の照度のうち少なくとも一方について照射時間を規定する照射時間規定手段を設けたことを特徴とする請求項１から請求項６記載のＸ線撮影装置を提供する。
【００１３】
請求項８記載の発明は上記の目的を達成するために、Ｘ線量計測器の検出部を前面に取り付け、光照射手段を有し、Ｘ線照射野の広さおよび位置を前記光照射手段により形成される光照射野を用いて決定するＸ線コリメータにおいて、前記光照射野の照度を二段階に切り替える照度切り替え手段を設けたＸ線コリメータを提供する。
【００１４】
請求項９記載の発明は上記の目的を達成するために、Ｘ線量計測器の検出部を前面に取り付け、光照射手段を有し、Ｘ線照射野の広さおよび位置を前記光照射手段により形成される光照射野を用いて決定するＸ線コリメータにおいて、前記光照射野の照度を二段階に切り替える照度切り替え手段と、前記照度切り替え手段により切り替えられる照度のうちの各一方を選択して光照射の開始または終了を指示する第一または第二の照度選択光照射指示手段を設けたＸ線コリメータを提供する。
【００１５】
請求項１０記載の発明は上記の目的を達成するために、Ｘ線量計測器の検出部を着脱可能に前面に取り付け、光照射手段を有し、Ｘ線照射野の広さおよび位置を前記光照射手段により形成される光照射野を用いて決定するＸ線コリメータにおいて、前記光照射野の照度を二段階に切り替える照度切り替え手段と、前記検出部を前記Ｘ線コリメータの前面に取り付けたことを確認する検出部確認手段と、前記検出部確認手段による前記検出部の確認の有無によって前記照度切り替え手段により切り替えられる二段階の照度のいずれかを選択する照度選択手段と、光照射の開始または終了を指示する光照射指示手段を設けたＸ線コリメータを提供する。
【００１６】
請求項１１記載の発明は上記の目的を達成するために、Ｘ線量計測器の検出部を着脱可能に前面に取り付け、光照射手段を有し、Ｘ線照射野の広さおよび位置を前記光照射手段により形成される光照射野を用いて決定するＸ線コリメータにおいて、前記光照射野の照度を二段階に切り替える照度切り替え手段と、前記検出部を前記Ｘ線コリメータの前面に取り付けたことを確認する検出部確認手段と、前記照度切り替え手段により切り替えられる照度のうちの各一方を選択して光照射の開始または終了を指示する第一または第二の照度選択光照射指示手段と、前記検出部確認手段が前記検出部を確認しないとき前記第一または第二の照度選択光照射指示手段のいずれか一方による照度選択および光照射指示を禁止する禁止手段を設けたＸ線コリメータを提供する。
【００１７】
請求項１２記載の発明は上記の目的を達成するために、第一または第二の照度選択光照射指示手段が互いに独立した二個の押しボタンの各一方であることを特徴とする請求項９あるいは請求項１１記載のＸ線コリメータを提供する。
【００１８】
請求項１３記載の発明は上記の目的を達成するために、第一または第二の照度選択光照射指示手段が一個の押しボタンを予め決められた時間内に一回または二回押すことであることを特徴とする請求項９あるいは請求項１１記載のＸ線コリメータを提供する。
【００１９】
請求項１４記載の発明は上記の目的を達成するために、照度切り替え手段により切り替えられる二段階の照度のうち少なくとも一方について照射時間を規定する照射時間規定手段を設けたことを特徴とする請求項８から請求項１３記載のＸ線コリメータを提供する。
【発明の効果】
【００２０】
本発明により、線量検出器をコリメータの前面に取り付けた状態でも十分な照度の照射野を得ることができ、かつランプの寿命の短縮を防止することができる。
【発明を実施するための最良の形態】
【００２１】
請求項７記載の発明および請求項１４記載の発明はそれぞれ請求項１から請求項６記載の発明および請求項８から請求項１３記載の発明に照射時間規定手段を追加したものであり、発明を実施するための最良の形態なのでこれらについて説明する。
【００２２】
請求項７記載の発明のうちの請求項２記載の発明および請求項１４記載の発明のうちの請求項９記載の発明の実施例を実施例１に、請求項７記載の発明のうちの請求項３記載の発明および請求項１４記載の発明のうちの請求項１０記載の発明の実施例を実施例２に、請求項７記載の発明のうちの請求項４記載の発明および請求項１４記載の発明のうちの請求項１１記載の発明の実施例を実施例３に示す。なお実施例１および実施例３の中で請求項２、請求項９あるいは請求項４、請求項１１記載の第一あるいは第二の照度選択光照射指示手段については請求項５あるいは請求項１２記載の発明を用いている。また請求項６、請求項１３記載の発明の第一あるいは第二の照度選択光照射指示手段の実施例を実施例４に示す。
【実施例１】
【００２３】
実施例１について図１および図２（ａ）を用いて説明する。この例は線量検出器２９がＸ線管装置２７に取り付けられたコリメータ２８の前面に固定して取り付けられる場合に適用される。なお図２（ａ）の３２、３３はそれぞれ縦寸法調整つまみおよび横寸法調整つまみであり図７と同じなのでそれらの説明は省略する。
【００２４】
図１において、照射野ランプ３が長時間点灯しても適正な寿命を維持できる照度を選択しかつ照射開始あるいは終了を指示するための標準照度選択ボタン１、およびそれより明るい照度を選択しかつ照射開始あるいは終了を指示するための高照度選択ボタン２は、いずれもその接点の片側がＬレベルに、他方がそれぞれプルアップ抵抗１９および２０によってＨレベルに吊り上げられたフリップフロップ１１および１２のｃ端子に接続されている。フリップフロップ１１および１２は背景技術の項で説明した図８のフリップフロップ５９と同様にそのｃ端子の電位がＨレベルからＬレベルに変化する毎にそれまでの出力Ｑの状態を反転させて記憶する機能を持つとともにＲ端子がＬレベルになると出力Ｑが強制的にＬレベルに変化するリセット機能を持つデジタルＩＣである。なお出力Ｑ−は出力Ｑと常に論理的に逆の出力を行う端子である。
【００２５】
フリップフロップ１１および１２の出力ＱおよびＱ−はそれぞれ単安定マルチバイブレータ１３，１４，１７，１８の入力Ｔに接続されている。それぞれの単安定マルチバイブレータ１３，１４，１７，１８は入力Ｔの電位がＬレベルからＨレベルに変化したとき、それぞれの単安定マルチバイブレータ１３，１４，１７，１８の所定の端子に接続された抵抗とコンデンサ（図示しない）の値により決まる時間幅のＬレベルパルスを出力Ｑ−から出力する。従ってフリップフロップ１１の出力ＱがＬレベルのとき標準照度選択ボタン１が押されるとフリップフロップ１１の出力ＱがＬレベルからＨレベルに変化するため単安定マルチバイブレータ１３の出力Ｑ−に短い時間幅のＬレベルパルスが出力され、フリップフロップ１１の出力Ｑ−がＬレベルのとき標準照度選択ボタン１が押されるとフリップフロップ１１の出力Ｑ−がＬレベルからＨレベルに変化するため単安定マルチバイブレータ１４の出力Ｑ−に短い時間幅のＬレベルパルスが出力される。またフリップフロップ１２の出力ＱがＬレベルのとき高照度選択ボタン２が押されるとフリップフロップ１２の出力ＱがＬレベルからＨレベルに変化するため単安定マルチバイブレータ１７の出力Ｑ−に短い時間幅のＬレベルパルスが出力され、フリップフロップ１２の出力Ｑ−がＬレベルのとき高照度選択ボタン２が押されるとフリップフロップ１２の出力Ｑ−がＬレベルからＨレベルに変化するため、単安定マルチバイブレータ１８の出力Ｑ−に短い時間幅のＬレベルパルスが出力される。これらの出力はそれぞれタイマ４あるいはタイマ５のスタートあるいはストップ入力に接続されている。また単安定マルチバイブレータ１３の出力Ｑ−はインバータ４４およびＯＲゲート４２を経てフリップフロップ１２のＲ端子に、単安定マルチバイブレータ１７の出力Ｑ−はインバータ４３およびＯＲゲート４０を経てフリップフロップ１１のＲ端子にも接続されている。
【００２６】
タイマ４およびタイマ５はそれぞれのスタート入力の電位がＨレベルからＬレベルに変化したとき、それぞれ３０秒および１５秒の時間幅のＨレベルパルスを出力するが、Ｈレベルパルスの出力中にストップ入力の電位がＨレベルからＬレベルに変化するとその時点でタイマとしての動作を中止して出力をＬレベルにする。またタイマ４がタイマ動作を終了あるいは中断してその出力がＨレベルからＬレベルに変化すると、単安定マルチバイブレータ３８が動作して出力ＱにＨレベルのパルスを発生し、このパルスがＯＲゲート４０を経由してフリップフロップ１１をリセットする。タイマ５がタイマ動作を終了あるいは中断した場合も同様に単安定マルチバイブレータ３９が動作してフリップフロップ１２がリセットされる。
【００２７】
この回路で標準照度選択ボタン１が押されると前述したように単安定マルチバイブレータ１３の出力Ｑ−にＬレベルパルスが発生してタイマ４を起動するとともに、インバータ４４およびＯＲゲート４２を経てフリップフロップ１２をリセットする。これによりタイマ５が起動されていた場合単安定マルチバイブレータ１８の出力Ｑ−に発生するＬレベルパルスによりその動作が中止される。タイマ４が出力する３０秒の時間幅のＨレベルパルスによりリレードライバ６が動作して、照射ＯＮ／ＯＦＦリレー８のコイル８ａが駆動され、接点８ｂのｃ端子がａ端子に接続される。接点８ｂのａ端子は、タイマ５が起動されたときに動作するリレードライバ７により駆動されるコイル９ａを持つ照度切替リレー９の接点９ｂのｃ端子に接続されており、接点９ｂのｂおよびａ端子はそれぞれ、トランス１０の入力電圧ＡＣ１００Ｖを照射野ランプ３が適正な寿命で点灯する電圧のＡＣ２０Ｖに変換して出力する端子およびそれより明るい照度を与えるＡＣ３０Ｖに変換して出力する端子に接続されている。この回路により標準照度選択ボタン１が押されてタイマ４が起動されると、照射ＯＮ／ＯＦＦリレー８が駆動され照度切替リレー９は駆動されないので、照射野ランプ３にＡＣ２０Ｖが３０秒間供給され、その間標準的な照度で照射野が照明される。
【００２８】
これに対して高照度選択ボタン２が押されると上記と同様の動作によりタイマ５が起動され、その出力によりリレードライバ６および７が動作して照射ＯＮ／ＯＦＦリレー８および照度切替リレー９の両者が駆動される。この結果照射野ランプ３にＡＣ３０Ｖが１５秒間供給され、その間より明るい照度で照射野が照明される。
【００２９】
またタイマ４の動作中に標準照度選択ボタン１が再度押されると単安定マルチバイブレータ１４が動作してタイマ４の動作を中止させる。同様にタイマ５の動作中に高照度選択ボタン２が再度押されると単安定マルチバイブレータ１８が動作してタイマ５の動作を中止させる。
【００３０】
上記のような回路により操作者は照射野の寸法および位置の調整を行うとき、例えば標準照度選択ボタン１を押して大まかに調整し、その後高照度選択ボタン２を押して厳密に調整することができる。また一回の照射時間がタイマ４又は５により制限されるので、高照度選択ボタン２を押してより明るく照明した場合でも照射野ランプ３の寿命短縮を防止することができる。
【実施例２】
【００３１】
実施例２について図４、図２（ｂ）および図３を用いて説明する。この例は線量検出器２９がＸ線管装置２７に取り付けられたコリメータ２８の前面に着脱可能な状態で取り付けられる場合に適用される。なお図２（ｂ）の３２は縦寸法調整つまみで、図２（ｂ）および図３（ａ）の３３は横寸法調整つまみであり、いずれも図７と同じなのでそれらの説明は省略する。
【００３２】
線量検出器２９をコリメータ２８の前面に着脱可能に取り付けるためには、例えば図３に示すようにコリメータ２８の前面に検出器取付枠３５をネジ等により固定し、この検出器取付枠３５に線量検出器２９を挿入する方法がある。図３（ａ）はこの方法の一例をＸ線管装置２７の側面から見た概略図であり、図３（ｂ）は図３（ａ）の概略の底面図である。この場合線量検出器２９がコリメータ２８の前面に取り付けられているか否かを電気的に確認できるように、線量検出器２９が所定の位置まで挿入されたとき動作する例えばマイクロスイッチ等の検出器確認スイッチ１６が検出器取付枠３５の内部に配置されている。
【００３３】
次に図４によって照射野ランプ３の照度切り替えの動作を説明する。ただしフリップフロップ２１はＲ端子およびＱ−端子を追加した点を除けば図８のフリップフロップ５９と同じであり、単安定マルチバイブレータ２２，２３は図１の単安定マルチバイブレータ１３，１４と同じであり、タイマ４，５以降の回路は単安定マルチバイブレータ４５，４６およびＯＲゲート３４以外の部分は図１と同じなので重複する事項についての説明は省略する。
【００３４】
図４において光照射ボタン１５はその接点の片側がＬレベルに、他方がプルアップ抵抗３６によってＨレベルに吊り上げられたフリップフロップ２１のｃ端子に接続されているので、押される毎にフリップフロップ２１の出力ＱおよびＱ−はそれぞれそれまでの状態を反転する。これらの出力はそれぞれ単安定マルチバイブレータ２２および２３の入力Ｔに接続されているので、光照射ボタン１５が押されてフリップフロップ２１の出力ＱがＬレベルからＨレベルに変わったとき単安定マルチバイブレータ２２の出力ＱからＨレベルのパルスが出力される。このとき線量検出器２９が図３に示す検出器取付枠３５に挿入されておらず検出器確認スイッチ１６がＯＮになっていなければ単安定マルチバイブレータ２２から出力されたＨレベルのパルスは入力の一方がプルアップ抵抗３７によりＨレベルに保持されているＡＮＤゲート２４を通ってタイマ４を起動するが、線量検出器２９が検出器取付枠３５に挿入されて検出器確認スイッチ１６がＯＮになっていればインバータ４８の入力がＬレベルになりＡＮＤゲート２５の入力の一方がＨレベルになるため、単安定マルチバイブレータ２２から出力されたＨレベルのパルスはＡＮＤゲート２５を通ってタイマ５を起動する。これらの結果図１で説明したのと同じ動作により、タイマ４が起動されると照射野ランプ３にＡＣ２０Ｖが３０秒間供給され、タイマ５が起動されると照射野ランプ３にＡＣ３０Ｖが１５秒間供給される。またタイマ４または５の動作中に光照射ボタン１５が押されると単安定マルチバイブレータ２３の出力Ｑ−からＬレベルのパルスが出力されタイマ４および５のストップ端子に入力されタイマ４または５は動作を停止する。またタイマ４がタイマ動作を終了あるいは中断してその出力がＨレベルからＬレベルに変化すると、単安定マルチバイブレータ４５が動作し、出力Ｑに発生したＨレベルのパルスがＯＲゲート３４を経由してフリップフロップ２１をリセットする。タイマ５がタイマ動作を終了あるいは中断した場合も同様にしてフリップフロップ２１がリセットされる。
【００３５】
この例では操作者が線量検出器２９を取り付けないで光照射ボタン１５を押すと照射野ランプ３が標準的な照度で３０秒間点灯し、線量検出器２９を取り付けて光照射ボタン１５を押すと照射野ランプ３がより明るい照度で１５秒間点灯する。従って線量検出器２９を取り付けた場合でも照射野は十分な照度で照明される。
【実施例３】
【００３６】
実施例３について図５、図２（ａ）および図３を用いて説明する。この例は線量検出器２９がＸ線管装置２７に取り付けられたコリメータ２８の前面に着脱可能な状態で取り付けられる場合に適用される。なお図２（ａ）の３２は縦寸法調整つまみで、図２（ａ）および図３（ａ）の３３は横寸法調整つまみであり、いずれも図７と同じなのでそれらの説明は省略する。
【００３７】
次に図５によって照射野ランプ３の照度切り替えの動作を説明するが、検出器確認スイッチ１６、プルアップ抵抗４７、ＡＮＤゲート４１以外の回路は図１と同じなので重複する事項についての説明は省略する。
【００３８】
この回路で標準照度選択ボタン１が押されると、図１で述べたのと同じ動作により照射野ランプ３にＡＣ２０Ｖが３０秒間供給され、その間標準的な照度で照射野が照明される。
【００３９】
これに対して高照度選択ボタン２からの信号は図３の線量検出器２９が検出器取付枠３５に挿入されて検出器確認スイッチ１６がＯＮになっているときに限りＡＮＤゲート４１を通過してフリップフロップ１２のｃ端子に入力される。高照度選択ボタン２からの信号
がフリップフロップ１２のｃ端子に入力されると、図１で高照度選択ボタン２が押されたときと同じ動作によりタイマ５が起動され、リレードライバ６および７が動作して照射ＯＮ／ＯＦＦリレー８および照度切替リレー９の両者が駆動される。この結果照射野ランプ３にＡＣ３０Ｖが１５秒間供給され、その間より明るい照度で照射野が照明される。
【００４０】
またタイマ４の動作中に標準照度選択ボタン１が再度押されると単安定マルチバイブレータ１４が動作してタイマ４の動作を中止させる。同様にタイマ５の動作中に高照度選択ボタン２が再度押されると単安定マルチバイブレータ１８が動作してタイマ５の動作を中止させる。これらも図１の動作と同じである。
【００４１】
上記のような回路により、線量検出器２９が検出器取付枠３５に挿入されて検出器確認スイッチ１６がＯＮになっている場合、操作者は照射野の寸法および位置の調整について、まず標準照度選択ボタン１を押して大まかに調整し、その後高照度選択ボタン２を押してより明るく照明して厳密に調整することができるが、線量検出器２９が検出器取付枠３５に挿入されていない場合は標準照度選択ボタン１による照度の選択しか行うことができない。
【実施例４】
【００４２】
請求項５の発明の第一あるいは第二の照度選択光照射指示手段の実施例について図６を用いて説明する。図６（ａ）は光照射ボタン１５が所定の時間、この例では１秒、以内に２回押された場合高照度選択信号−の信号線がＬレベルになるが、１秒以内に１回しか押されない場合標準照度選択信号−の信号線がＬレベルになる回路の例であり、図１あるいは図５の標準照度選択ボタン１とプルアップ抵抗１９の代わりに図６（ａ）の標準照度選択信号−の信号線を接続し、図１あるいは図５の高照度選択ボタン２とプルアップ抵抗２０の代わりに図６（ａ）の高照度選択信号−の信号線を接続してもそれぞれ図１および図５と同じ動作を行う。
【００４３】
なお図６（ｂ）は図６（ａ）の動作を説明するためのタイミングチャートであり、図６（ａ）にＡ〜Ｈの記号で示す各点のそれぞれの動作を示している。また図６（ａ）で使用する単安定マルチバイブレータ４９，５４，５６はいずれもトリガー端子への入力によるパルスの出力中に再度入力があった場合その入力は無視されるものとする。
【００４４】
光照射ボタン１５が押されるとプルアップ抵抗３６によってＨレベルに吊り上げられている単安定マルチバイブレータ４９の入力Ｔおよびフリップフロップ５０のｃ端子（Ａ点）がＬレベルになるため、電源投入後の初期リセット回路（図示しない）または前回の光照射ボタン１５の操作から始まる一連の動作によりフリップフロップ５１とともにリセットされていたフリップフロップ５０の出力ＱがＨレベルにセットされる。この結果フリップフロップ５１のｃ端子もＨレベルになるがこの時点ではフリップフロップ５１の出力Ｑ−はＨレベルのままであるためＡＮＤゲート５２の出力（Ｄ点）すなわち標準照度選択信号−がＬレベルになる。同時に単安定マルチバイブレータ４９の出力Ｑ（Ｂ点）から、単安定マルチバイブレータ４９の所定の端子に接続された抵抗とコンデンサ（図示しない）の値により決まる時間幅、ここでは１秒の、Ｈレベルパルスが出力され、その前縁で単安定マルチバイブレータ５６がトリガーされるのでそれ以前の動作によりフリップフロップ５７がセットされてその出力Ｑ−（Ｈ点）すなわち高照度選択信号−がＬレベルになっていた場合これをリセットする。
【００４５】
光照射ボタン１５が押されて１秒後に単安定マルチバイブレータ４９の出力パルスの後縁で単安定マルチバイブレータ５４がトリガーされその出力パルスによりフリップフロップ５０および５１がリセットされる。図６（ｂ）の右側半分はこのときのＡ〜Ｈ点の動作を示している。その後光照射ボタン１５が再度押されると図６（ａ）の回路は図６（ｂ）の右側半分に示す上記の動作を繰り返す。
【００４６】
光照射ボタン１５が押されると図６（ａ）の回路は上記の動作を行うが、光照射ボタン１５が押されて１秒以内に再度押されると、フリップフロップ５０は出力Ｑの状態を反転してＬレベルになり、その結果フリップフロップ５１がセットされ出力ＱがＨレベルになる。このときフリップフロップ５０の出力Ｑ−もＨレベルになっているのでＡＮＤゲート５３の出力（Ｅ点）がＨレベルになり、単安定マルチバイブレータ４９の出力パルスもまだＨレベルを保っているのでＡＮＤゲート５５の出力（Ｆ点）もＨレベルになる。これによりフリップフロップ５７がセットされてその出力Ｑ−（Ｈ点）すなわち高照度選択信号−がＬレベルになる。光照射ボタン１５が一回目として押されて１秒経過すると、単安定マルチバイブレータ４９の出力パルスの後縁によって単安定マルチバイブレータ５４がトリガーされその出力パルスによりフリップフロップ５０および５１がリセットされる。図６（ｂ）の左側半分はこのときのＡ〜Ｈ点の動作を示している。
【産業上の利用可能性】
【００４７】
本発明はＸ線を用いて診断のために被検体の撮影を行うＸ線撮影装置に関する。
【図面の簡単な説明】
【００４８】
【図１】本発明の実施例１を説明するための模式的な回路図である。
【図２】従来技術および本発明を説明するためのコリメータのパネル面の図である。
【図３】線量検出器をコリメータ前面に着脱可能に取り付ける方法の一例を示す図である。
【図４】本発明の実施例２を説明するための模式的な回路図である。
【図５】本発明の実施例３を説明するための模式的な回路図である。
【図６】本発明の実施例４を説明するための模式的な回路図である。
【図７】従来技術を説明するための図である。
【図８】従来技術を説明するための模式的な回路図である。
【符号の説明】
【００４９】
１：標準照度選択ボタン
２：高照度選択ボタン
３：照射野ランプ
４，５：タイマ
６，７，６０：リレードライバ
８：照射ＯＮ／ＯＦＦリレー
８ａ，９ａ：コイル
８ｂ，９ｂ：接点
９：照度切替リレー
１０：トランス
１１，１２，２１，５０，５１，５７，５９：フリップフロップ
１３，１４，１７，１８，２２，２３，３８，３９，４５，４６，４９，５４，５６：単安定マルチバイブレータ
１５：光照射ボタン
１６：検出器確認スイッチ
１９，２０，３６，３７，４７，６１：プルアップ抵抗
２４，２５，４１，５２，５３，５５：ＡＮＤゲート
２６：Ｘ線管保持装置
２７：Ｘ線管装置
２８：コリメータ
２９：線量検出器
３０：照射野
３１：検診台
３２：縦寸法調整つまみ
３３：横寸法調整つまみ
３５：検出器取付枠
３４，４０，４２：ＯＲゲート
４３，４４，４８：インバータ
【図１】
2006311929.tif 000003
【図２】
2006311929.tif 000004
【図３】
2006311929.tif 000005
【図４】
2006311929.tif 000006
【図５】
2006311929.tif 000007
【図６】
2006311929.tif 000008
【図７】
2006311929.tif 000009
【図８】
2006311929.tif 000010